(57)【要約】【課題】ＡＰＬにより消費電力が抑制される低発光回数領域側での輝度低下を抑えながらホワイトバランスを補正し、そして、消費電力が抑制されずに発光回数が増加する高発光回数領域側で、青味を帯びた白色にホワイトバランスを補正するようにしたプラズマディスプレイ装置を提供する。【解決手段】発光回数を検出するＡＰＬ検出回路３と、Ｒ，Ｇ，Ｂの原色映像信号の利得を制御してホワイトバランスを補正するマイコン２および乗算器１１〜１３などを備えたプラズマディプレイ装置において、マイコン２および乗算器１１〜１３は、下限近傍の発光回数で規定されたホワイトバランスにおけるＲ，Ｇ，Ｂの輝度比率のＧ輝度を基準とし、検出した発光回数に応じて、Ｒの利得を輝度比率を満足するように下げ、かつ、Ｂの利得を輝度比率を満足する利得までは下げないように制御する。【選択図】図１
2008052068.tif 000002
【特許請求の範囲】
【請求項１】
プラズマディプレイ装置において、
発光回数を検出する発光回数検出手段と、所定の発光回数で規定されたホワイトバランスを基準として、かつ前記検出された発光回数に従って入力されたＲ，Ｇ，Ｂの原色映像信号の利得を制御してホワイトバランスを補正するホワイトバランス補正手段とを備え、
前記ホワイトバランス補正手段は、消費電力を抑制する下限近傍の発光回数で規定されたホワイトバランスにおける前記Ｒ，Ｇ，Ｂの原色映像信号の輝度比率でのＧ輝度を基準とし、前記発光回数検出手段で検出した発光回数に応じて、前記Ｒの原色映像信号の利得を前記輝度比率を満足するように下げ、かつ、前記Ｂの原色映像信号の利得を前記輝度比率を満足する利得までは下げないように制御することを特徴とするプラズマディプレイ装置。
【請求項２】
請求項１に記載のプラズマディプレイ装置において、
前記ホワイトバランス補正手段は、前記Ｒの原色映像信号の利得のみ前記輝度比率を満足するように制御することを特徴とするプラズマディプレイ装置。
【請求項３】
請求項２に記載のプラズマディプレイ装置において、
前記ホワイトバランス補正手段は、前記Ｒ，Ｇ，Ｂの原色映像信号の輝度比率に対応する乗算係数を算出する演算制御部と、前記演算制御部から供給される乗算係数に応じて、それぞれ対応するガンマ補正後の映像信号の利得を可変するＲ，Ｇ，Ｂ用の乗算器とを含むことを特徴とするプラズマディプレイ装置。
【請求項４】
請求項３に記載のプラズマディプレイ装置において、
前記演算制御部は、前記発光回数検出手段からＡＰＬを取得し、この取得したＡＰＬからＡＰＬ−発光回数対応テーブルを参照して発光回数を算出し、この算出した発光回数からエネルギー変換効率の増減によるＲ，Ｇ，Ｂの輝度比の増減率を輝度比算出式または輝度比変換テーブルを用いて演算し、この増減率から所定のホワイトバランスとなるような乗算係数を算出し、この算出した各乗算係数を各乗算器に設定することを特徴とするプラズマディプレイ装置。
【発明の詳細な説明】
【技術分野】
【０００１】
本発明は、入力された複数（例えばＲ，Ｇ，Ｂ）の原色映像信号に対応して発光回数を制御してカラー表示を行うプラズマディスプレイ装置に係わり、特に、発光回数によって変動するホワイトバランスを補正するホワイトバランス補正技術に関する。
【背景技術】
【０００２】
近年普及してきているＰＤＰ（Ｐｌａｓｍａ  Ｄｉｓｐｌａｙ  Ｐａｎｅｌ）を用いたプラズマディスプレイ装置では、１フレームを発光回数（放電維持パルスの印加による発光回数）の違いによって重み付けされた複数のサブフィールド（例えばＳＦ１〜ＳＦ８）に分割し、画素毎にそこでの信号の振幅に応じたサブフィールドを選択する所謂サブフィールド法で階調表現を行っている。
【０００３】
ところで、１フレーム期間内にＰＤＰに印加される放電維持パルスの総数、つまり、１フレーム期間を分割した各サブフィールド期間内に印加される放電維持パルスの合計数（以下、「発光回数」と称する）が増加すると、それと共にプラズマディスプレイ装置の消費電力が増加する。そこで、プラズマディスプレイ装置では、例えば平均輝度レベル（Ａｖｅｒａｇｅ  Ｐｉｃｔｕｒｅ  Ｌｅｖｅｌ：以下、「ＡＰＬ」と称する）に応じて、発光回数（放電維持パルスの総数）を制限して、発光輝度を制限し、ＰＤＰでの消費電力を抑制するようにしている。つまり、ＡＰＬの増加にともなって発光回数を減少させるようになっている。一般に、この機能をＡＰＣ（Ａｕｔｏ  Ｐｏｗｅｒ  Ｃｏｎｔｒｏｌ）、またはＡＢＬ（Ａｕｔｏｍａｔｉｃａｌｌｙ  Ｂｒｉｇｈｔｎｅｓｓ  Ｌｉｍｉｔ）と言う。ここで、便宜上、ＡＰＬが最大（全白画面表示）のときに対応する最小発光回数（放電維持パルスの総数）を記号Ｎｗで表すものとする。
【０００４】
一方、三原色の色光（赤，緑，青）を射出する各蛍光体は、それぞれ、発光回数によって発光効率と残光特性が異なる。従って、所定の発光回数でホワイトバランスを調整しても、ＡＰＬで発光回数が変化するとホワイトバランスが崩れてしまう。これを解決する技術が、例えば、特許文献１（特開２００１−２５５８４３号公報）で開示されている。
【特許文献１】特開２００１−２５５８４３号公報
【発明の開示】
【発明が解決しようとする課題】
【０００５】
上記特許文献１は、三原色映像信号による画像のＡＰＬから発光回数を検出する、或いは、三原色映像信号による画像表示時の表示電流から発光回数を検出する発光回数検出手段と、発光回数検出手段で検出された発光回数に対応して三原色映像信号の利得を調整してホワイトバランスを補正するホワイトバランス補正手段と、を備えるプラズマディスプレイ装置を開示する。本技術によれば、発光回数に関わりなくホワイトバランスを維持することができることになる。
【０００６】
ところで、特許文献１では、ＡＰＬが小さく、発光回数が最大となる発光回数Ｎｍでホワイトバランスを設定し、このときの赤色蛍光体Ｒ，緑色蛍光体Ｇ，青色蛍光体Ｂとがそれぞれ射出する色光（Ｒ光，Ｇ光，Ｂ光）の輝度比率を基準として、発光回数の変動に応じて、三原色映像信号の利得を制御している。
【０００７】
具体的に述べる。例えば、ＡＰＬが大きくなり、平均輝度が上昇すると、上記したＡＰＣ（ＡＢＬとも言う）機能によりＰＤＰの消費電力を抑えるために発光回数が下がる。発光回数が下がると、特許文献１の図７に示されるように、青色蛍光体が射出する青色光（Ｂ光）の輝度に対して赤色蛍光体が射出する赤色光（Ｒ光）および緑色蛍光体が射出する緑色光（Ｇ光）の輝度が上がり、ホワイトバランスが崩れる。そこで、Ｒ原色映像信号とＧ原色映像信号の乗算器の利得Ｋｒ，Ｋｇをそれぞれ下げて、ホワイトバランスを補正する。このため、発光回数の減少に伴い、輝度（単位面積当たりの明るさ）が低下することになる。従って、この輝度低下は、消費電力が最も抑制される全白表示における発光回数Ｎｗで最大となる。換言すれば、ＡＰＬによる消費電力抑制により、ＡＰＬが大きくなる明るい表示画面では、ピーク輝度が低下するが、さらに、ホワイトバランスの補正による輝度低下が加わることになる。このホワイトバランスの補正による輝度低下について、特許文献１では十分考慮されていない。
【０００８】
一方、近年では、白色の色温度としては青味を帯びた白色の色温度（例えば９０００〜１００００Ｋ）が好まれている。しかし、特許文献１では、発光回数の変化に対して、ホワイトバランス設定時の輝度比率を一定に保つことに着目しており、ホワイトバランス補正の過程のなかで、青味を帯びたホワイトバランスとすることについては考慮が払われていない。
【０００９】
本発明は、上記した実情に鑑みてなされたもので、その目的は、ＡＰＬにより消費電力が抑制される低発光回数領域側での輝度低下を抑えながらホワイトバランスを補正するプラズマディスプレイ装置を提供することにある。そして、消費電力が抑制されずに発光回数が増加する高発光回数領域側で、青味を帯びた白色にホワイトバランスを補正するようにしたプラズマディスプレイ装置を提供することにある。
【００１０】
本発明の前記ならびにその他の目的と新規な特徴は、本明細書の記述および添付図面から明らかになるであろう。
【課題を解決するための手段】
【００１１】
本願において開示される発明のうち、代表的なものの概要を簡単に説明すれば、次のとおりである。
【００１２】
上記課題を解決するために、本発明では、発光回数を検出する発光回数検出手段と、所定の発光回数で規定されたホワイトバランスを基準として、かつ前記検出された発光回数に従って入力されたＲ，Ｇ，Ｂの原色映像信号の利得を制御してホワイトバランスを補正するホワイトバランス補正手段とを備えたプラズマディプレイ装置において、前記ホワイトバランス補正手段を、消費電力を抑制する下限近傍の発光回数で規定されたホワイトバランスにおける前記Ｒ，Ｇ，Ｂの原色映像信号の輝度比率のＧ輝度を基準として、前記発光回数検出手段で検出した発光回数に応じ、前記Ｒの原色映像信号の利得を前記輝度比率を満足するように下げ、かつ、前記Ｂの原色映像信号の利得を前記輝度比率を満足する利得までは下げないように制御することとする。
【００１３】
本発明では、ホワイトバランスの設定を、消費電力を抑制する下限近傍の発光回数で行い、このときのＲ，Ｇ，Ｂ光の輝度比率を基準とするので、該発光回数近傍ではホワイトバランス補正手段による利得制御が行われず、例えばＡＰＬにより消費電力が抑制される低発光回数領域での輝度低下を抑えることができる。つまり、全白表示時における消費電力を抑えながら、従来と比較して輝度向上を図ることができ、より明るい白表示を得ることができる。また、発光回数の増加にともなって、ホワイトバランス補正手段によって利得制御を行い、ホワイトバランスを補正する際、前記Ｒの原色映像信号の利得を前記輝度比率を満足するように下げ、かつ、前記Ｂの原色映像信号の利得を前記輝度比率を満足する利得までは下げないように制御するので、青味を帯びたホワイトバランスに補正することができる。これにより、青味を帯びた爽快な画面を楽しむことができることになる。
【発明の効果】
【００１４】
本願において開示される発明のうち、代表的なものによって得られる効果を簡単に説明すれば以下のとおりである。
【００１５】
本発明によれば、例えばＡＰＬにより消費電力が抑制される低発光回数領域側での輝度低下を抑えながらホワイトバランスを補正するとともに、消費電力が抑制されない高発光回数領域側で青味を帯びた白色にホワイトバランスを補正するようにしたプラズマディスプレイ装置を提供することができる。
【発明を実施するための最良の形態】
【００１６】
以下、本発明を実施するための最良の形態について、図を用いながら詳細に説明する。なお、各図において、共通な機能を有する要素には同一な符号を付して示し、一度述べた要素については、反復する説明を省略する。
【００１７】
また、以下で言う「発光回数」とは、１フレーム期間内にＰＤＰに印加される放電維持パルスによって生じる発光の回数を指し、１フレーム期間内の放電維持パルスの総数に等しい。この意味で、以下では放電維持パルス総数と同じ意味で用いる。
【００１８】
本発明の実施の形態に触れる前に、まず、ＰＤＰの蛍光体が有する発光回数に対する輝度特性について図７を用いて説明する。
【００１９】
図７は、赤，緑および青の三原色の各蛍光体の発光回数と輝度との関係を示す図であり、図７（ａ）は発光回数と輝度の関係を示し、図７（ｂ）はエネルギー変換効率の減少による単位発光輝度特性を示す。なお、図７（ｂ）の縦軸の輝度は、単位発光あたりの輝度を、エネルギー変換効率が最も高い場合の単位あたりの発光輝度で正規化した値である。
【００２０】
図７（ａ）に示されるように、赤（Ｒ），緑（Ｇ）および青（Ｂ）の三原色の各蛍光体は、発光回数が増加するに従って輝度が飽和してくる。これは、赤，緑および青の蛍光体の残光特性、言い換えれば、紫外線による励起に対する蛍光体のエネルギー変換効率が、図７（ｂ）に示すように、発光回数の増加に従って低下するために生じるのである。
【００２１】
なお、プラズマディスプレイ装置では、ＡＰＣによる消費電力抑制作用で、発光回数は、ＡＰＬが小さく消費電力が抑制されない暗い画像の場合、最大の発光回数Ｎｍ（図７のＱ点）となるが、ＡＰＬが大きくなるにともない次第に減少し、最も消費電力が抑制される場合、最小の発光回数Ｎｗ（図７のＰ点）となる。
【００２２】
ここで、従来と同様、図７において、例えば、最大発光回数ＮｍのＱ点でホワイトバランスの設定を行ったとすると、その時のホワイトバランス値は、Ｑ点における赤，緑および青の各蛍光体が発する色光の輝度比率によって決定される。しかしながら、ＡＰＬが高い映像信号を表示する場合には、前述したように消費電力を抑えるために、発光回数が減少する。
【００２３】
従って、例えば最小発光回数ＮｗのＰ点では、図７（ｂ）に示されるように、紫外線による励起に対する蛍光体のエネルギー変換効率が上がるため、エネルギー変換効率の減少率が緑＞赤＞青となっていれば、Ｑ点と比較して相対的に緑＞赤＞青の順に輝度が高くなる。すなわち、Ｐ点における赤，緑および青の各蛍光体が発する色光の輝度比率は、Ｑ点での設定値と異なるために、Ｑ点とＰ点とではホワイトバランスに違いが生じる。
【００２４】
このため、従来では、Ｂ原色映像信号に対して、Ｒ原色映像信号とＧ原色映像信号の振幅をそれぞれ下げて、ホワイトバランスを補正していた。しかし、このホワイトバランス補正のため、視感度の高い緑色光が減少し、輝度が低下することになる。この輝度低下は、消費電力が最も抑制される全白表示における発光回数Ｎｗで最大となる。換言すれば、ＡＰＬによる消費電力抑制により、ＡＰＬが大きくなる明るい表示画面では、ピーク輝度が低下するが、さらに、ホワイトバランス補正による輝度低下が加わることになる。
【００２５】
そこで、本発明では、消費電力が抑制される低発光回数の個所、例えば、最小発光回数ＮｗのＰ点でホワイトバランスの設定を行うこととする。これにより、Ｐ点側では、ホワイトバランスの補正による輝度低下が低減されるので、所定の消費電力に抑制しながら、従来に比べてより明るい映像を得ることができることになる。なお、Ｐ点でのホワイトバランス設定は、例えば、三原色に対応した蛍光体の発光特性やＰＤＰの前面側に配置される所謂光学フィルタで行うものとする。
【００２６】
以下、本発明の実施の形態について説明する。
【００２７】
（第１の実施の形態）
図１は、本発明の第１の実施の形態に係るプラズマディスプレイ装置の要部を模式的に示したブロック図である。
【００２８】
図１において、１１〜１３は乗算器、２は演算制御部であるマイコン（マイクロコンピュータ）、３はＡＰＬ検出回路、４１〜４３はガンマ補正回路（γ補正回路）、６はパネル駆動回路を示している。本実施の形態に係るプラズマディスプレイ装置の要部において、ＡＰＬ検出回路３は、マイコン２とともに発光回数を検出する発光回数検出手段として機能する。また、マイコン２および乗算器１１〜１３は、所定の発光回数で規定されたホワイトバランスを基準として、かつ検出された発光回数に従って入力されたＲ，Ｇ，Ｂの原色映像信号の利得を制御してホワイトバランスを補正するホワイトバランス補正手段として機能する。以下において、具体的に説明する。
【００２９】
ガンマ補正回路４１〜４３は、入力された三原色の映像信号Ｒ，Ｇ，Ｂに対して、図示しないＰＤＰの入力−輝度特性に合せるべく、非線形なガンマ（γ）補正を行うものである。ホワイトバランス補正回路は、マイコン２と、ＡＰＬ検出回路３と、乗算器１１〜１３とを含んで構成され、ガンマ補正後の三原色の映像信号におけるホワイトバランスを補正するものである。パネル駆動回路６は、ホワイトバランス補正回路でホワイトバランスが補正された三原色の映像信号に基づいて図示しないＰＤＰを駆動し、ＰＤＰの画面上にカラー画像を表示する。
【００３０】
乗算器１１〜１３は、後述するマイコン２から供給される乗算係数（振幅係数）Ｋｒ，Ｋｇ，Ｋｂに応じて、それぞれ対応するガンマ補正後の映像信号の利得を可変することにより、ホワイトバランスを補正する。
【００３１】
パネル駆動回路６は、ホワイトバランスが補正された乗算器１１〜１３からの映像信号に基づいて図示しないＰＤＰを駆動し、ＰＤＰの画面上に画像を表示させる。
【００３２】
ＡＰＬ検出回路３は、ガンマ補正後の三原色の映像信号Ｒ，Ｇ，Ｂから表示する画像のＡＰＬ（平均輝度レベル：表示率とも言う）を検出し、後述するマイコン２に供給する。
【００３３】
マイコン２は、図示しないＲＯＭ（Ｒｅａｄ  Ｏｎｌｙ  Ｍｅｍｏｒｙ）に格納されたプログラムに従って、図示しないメモリに予め格納された演算式やテーブルを参照しながら、所定の演算制御処理を行う演算制御部である。前記図示しないメモリには、ここでは、ＡＰＬ（平均輝度レベル：表示率）毎に定められた発光回数を記載したＡＰＬ−発光回数対応テーブル（図示せず）や、最小発光回数Ｎｗを基点とし発光回数Ｎをパラメータとした輝度比α（後述）を導出する輝度比算出式（詳細は後述）や、算出した輝度比から乗算係数を算出する乗算係数演算式（詳細は後述）などが予め格納されているものとする。そして、マイコン２は、これらのＡＰＬ−発光回数対応テーブル，輝度比算出式や乗算係数演算式などを用いて乗算器１１〜１３の乗算係数Ｋｒ，Ｋｇ，Ｋｂを算出し、乗算係数Ｋｒ，Ｋｇ，Ｋｂを対応する乗算器１１〜１３にそれぞれ供給する。
【００３４】
以上述べたように、第１の実施の形態のプラズマディスプレイ装置は、入力された映像信号Ｒ，Ｇ，Ｂをガンマ補正回路４１〜４３によりガンマ補正する。次に、マイコン２から与えられた乗算係数Ｋｒ，Ｋｇ，Ｋｂに従って乗算器１１〜１３の利得を変えることによりガンマ補正後の各映像信号の振幅を可変し、ホワイトバランスを補正する。そして、パネル駆動回路６を介して図示しないＰＤＰに画像を表示する。
【００３５】
マイコン２は、乗算器１１〜１３で入力映像信号に応じた最適なホワイトバランス補正を行うために、図２に示すホワイトバランス補正処理を行う。図２は、本実施の形態によるホワイトバランス補正処理の一例を示すフロー図である。
【００３６】
図２に示すように、マイコン２は、ステップＳ１でＡＰＬ検出回路３からＡＰＬ（平均輝度レベル：表示率）を取得する。次に、ステップＳ２で、取得したＡＰＬから前記図示しないＡＰＬ−発光回数対応テーブルを参照して発光回数Ｎを算出する。ステップＳ３では、マイコン２は、算出した発光回数Ｎからエネルギー変換効率の増減によるＲ，Ｇ，Ｂ（赤、緑および青）の輝度比の増減率を、後述する輝度比算出式（詳細は後述）を用いて演算する。そして、その増減率から所定のホワイトバランスとなるような乗算係数Ｋ（Ｋｒ，Ｋｇ，Ｋｂ）を乗算係数演算式（詳細は後述）を用いて算出して、各乗算器１１〜１３に供給する。本実施の形態では、緑色の発光輝度を基準とするので、Ｋｇは一定となる。次に、ステップＳ４で、算出した各乗算係数Ｋｒ，Ｋｇ，Ｋｂを各乗算器１１〜１３に送出して設定し、乗算器１１〜１３で最適なホワイトバランス補正を行う。
【００３７】
次に、輝度比算出と乗算係数算出の過程について、図３と図４を用いて説明する。図３は、三原色の蛍光体の各発光回数における輝度比を青色を基準として示した図である。また、図４は、ホワイトバランス補正回路における三原色の各乗算係数を説明するための図である。
【００３８】
図３において、横軸は発光回数Ｎであり、縦軸は輝度比αである。輝度比αは、発光回数Ｎに対する各色光の輝度（Ｌｒ，Ｌｇ，Ｌｂ）をホワイトバランス設定時における各色光の発光輝度（Ｌｗｒ，Ｌｗｇ，Ｌｗｂ）で正規化（Ｌｒ／Ｌｗｒ，Ｌｇ／Ｌｗｇ，Ｌｂ／Ｌｗｂ）し、青を基準として、相対輝度で示したものである。具体的には、赤の青に対する輝度比は、（Ｌｒ／Ｌｗｒ）／（Ｌｂ／Ｌｗｂ）で定義され、緑の青に対する輝度比は、（Ｌｇ／Ｌｗｇ）／（Ｌｂ／Ｌｗｂ）で定義される。
【００３９】
ここでは、ホワイトバランス設定を、最小発光回数Ｎｗで行うので、Ｐ点では輝度比αは１となる。また、青色の蛍光体は、発光回数に対する輝度特性において、他の蛍光体より直線性がよく、ほぼ一定と見なすことができる。青を基準とすると、発光回数が発光回数Ｎｗから増大するにつれ、図７（ｂ）から明らかなように、緑色と赤色の輝度比αは次第に減少することになる。これらの輝度比αの特性は、発光回数Ｎｗ−Ｎｍの間で第１次近似として直線近似できる。このときの緑色の輝度比αｇと赤色の輝度比αｒは、次式で表すことができる。
【００４０】
αｇ＝（１−αｇｏ）Ｎ／Ｎｗ＋αｇｏ  …  （式１）
αｒ＝（１−αｒｏ）Ｎ／Ｎｗ＋αｒｏ  …  （式２）
ここで、αｇｏ，αｒｏは、各色の直線近似輝度比特性が縦軸で交差するポイントでの輝度比αである。
【００４１】
図３から明らかなように、発光回数Ｎが最小発光回数Ｎｗから増大するとともに、輝度比αｒとαｇは次第に低下し、ホワイトバランスが崩れる。そこで、ホワイトバランス設定時と同じ輝度比率となるように、Ｇ原色映像信号用の乗算器１２の利得は変えずに、Ｒ原色映像信号用の乗算器１１とＢ原色映像信号用の乗算器１３の利得を下げればホワイトバランスを維持することが可能となる。この際、Ｂ原色映像信号用の乗算器１３の利得は、ホワイトバランス設定時と同じ輝度比率となるまでは下げないようにする。このように、Ｂ原色映像信号用の乗算器１３の利得の低下量を少なくすれば、青味を帯びたホワイトバランスに補正することができ、青味を帯びた爽快な画面を楽しむことができることになる。
【００４２】
次に、発光回数に対応した各乗算器の利得係数の算出について、図４を用いて説明する。
【００４３】
図４において、横軸は発光回数Ｎであり、縦軸は乗算係数Ｋである。乗算係数Ｋは、上記のようにして算出した輝度比αを用いて定義される。ホワイトバランス設定時と同じ輝度比率とする場合、緑色の乗算器１２の乗算係数Ｋｇを１として、赤色の乗算器１１の乗算係数Ｋｒと青’色の乗算器１３の乗算係数Ｋｂ’は、次式で表すことができる。なお、ここでは、本発明によって適用される青色の乗算器１３の乗算係数Ｋｂ（後述する）と区別するために、青’色の乗算係数Ｋｂ’と表現するものとする。
【００４４】
Ｋｒ＝αｇ／αｒ＝〔（１−αｇｏ）Ｎ＋αｇｏＮｗ〕
／〔（１−αｒｏ）Ｎ＋αｒｏＮｗ〕  …  （式３）
Ｋｂ’＝αｇ／αｂ＝（１−αｇｏ）Ｎ／Ｎｗ＋αｇｏ  …  （式４）
これらの発光回数Ｎに基づいた利得係数Ｋ（Ｋｒ，Ｋｇ＝１，Ｋｂ’）を対応する乗算器に設定すると、ホワイトバランス設定時と同じ輝度比率を有するホワイトバランスに補正できる。しかし、Ｑ側で青味を帯びたホワイトバランスとすることはできない。
【００４５】
そこで、本実施の形態においては、青味を帯びたホワイトバランスに補正するために、実際に設定する青色の乗算係数Ｋｂ（ここでは、一次式で表現）を、緑色の乗算係数Ｋｇと青’色の乗算係数Ｋｂ’との間の値にする。このように、利得係数Ｋｂを利得係数Ｋｂ’より大きくして、Ｂ原色映像信号の乗算器１３の利得の低減量を小さくすればＱ側で青味を帯びたホワイトバランスとすることができることになる。なお、上記した利得係数Ｋｂを表現する数式は、マイコン２の図示しないメモリに予め格納されている。以上のようにして、例えば乗算係数演算式（Ｋｂと数式３のＫｒ）とを用いて、ホワイトバランス補正回路における三原色の各乗算係数Ｋ（Ｋｒ，Ｋｇ＝１，Ｋｂ）を求める。
【００４６】
ここで、図３に示される１次式は、蛍光体によって決まるものであり、蛍光体が決まれば決定する。従って、予めその利得係数を算出する利得係数演算式（図４参照）をマイコン２にプログラムしておき、そのプログラムを使用して各発光回数による乗算係数Ｋを演算する。
【００４７】
なお、本実施の形態では、輝度比や利得係数を演算式で算出するようにしたが、これに限定されるものではなく、変換テーブルを用いて算出するようにしてもよいことはいうまでもない。
【００４８】
次に、上記のようにして演算した各乗算係数Ｋに基づいて、ホワイトバランス補正回路により補正された三原色の蛍光体の各発光回数における輝度比について、図５を用いて説明する。図５は、ホワイトバランス補正回路により補正された三原色の蛍光体の各発光回数における輝度比を示した図である。
【００４９】
図５に示すように、青味を帯びたホワイトバランスに補正するために、赤、緑および青（三原色）の蛍光体は、発光回数の増加にともなって、赤の利得を輝度比を満足するように下げ、かつ、青の利得を輝度比を満足する利得までは下げないように制御する。
【００５０】
以上により、本実施の形態に係るプラズマディスプレイ装置によれば、発光回数を検出するＡＰＬ検出回路３と、Ｒ，Ｇ，Ｂの原色映像信号の利得を制御してホワイトバランスを補正するマイコン２および乗算器１１〜１３などを備えることで、ホワイトバランスの設定を、消費電力を抑制する下限近傍の発光回数で行い、このときのＲ，Ｇ，Ｂ光の輝度比率を基準とするので、全白表示時における消費電力を抑えながら、従来と比較して輝度向上を図ることができ、より明るい白表示を楽しむことができる。
【００５１】
また、発光回数の増加にともなって利得制御を行い、ホワイトバランスを補正する際、Ｒの利得を前記輝度比率を満足するように下げ、かつ、Ｂの利得を前記輝度比率を満足する利得までは下げないように制御するので、青味を帯びたホワイトバランスに補正することができ、これによって青味を帯びた爽快な画面を楽しむことができる。
【００５２】
上記では、青色の乗算係数Ｋｂを、緑色の乗算係数Ｋｇと青’色の乗算係数Ｋｂ’との間の値にするとしたが、これに限定されるものではなく、利得を下げずに、ホワイトバランス設定時の乗算係数と同じ値としてもよいことはいうまでもない。
【００５３】
また、本実施の形態の変形として、最小発光回数Ｎｗから所定の発光回数までの範囲では、利得係数ＫｂをＫｂ’として、ホワイトバランス設定時の輝度比率のホワイトバランスとなるように補正し、所定発光回数から最大発光回数Ｎｍまでは、青色の乗算係数Ｋｂを、緑色の乗算係数Ｋｇと青’色の乗算係数Ｋｂ’との間の値にする、もしくは、利得を下げずに、ホワイトバランス設定時の乗算係数と同じ値とするようにしてもよい。このようにすれば、平均輝度レベル（ＡＰＬ）が小さい領域のみにおいて、ピーク輝度の高い画素のホワイトバランスを青味を帯びた色温度にすることができ、爽快な画面を楽しむことができる。このような変形は、マイコン２のフローを僅かに変えることで対応でき、詳細な説明を省略する。
【００５４】
（第２の実施の形態）
図６は、本発明の第２の実施の形態に係るプラズマディスプレイ装置の要部を模式的に示したブロック図である。
【００５５】
図６において、ホワイトバランス補正回路は、マイコン２と、電流検出回路５と、発光回数制御回路７と、乗算器１１〜１３とを含んで構成され、上記した図１に示す第１の実施の形態におけるＡＰＬ検出回路３の代わりに電流検出回路５を設けたもので、この電流検出回路５によりパネル駆動回路６の消費電流（表示電流）を検出し、すなわち、第１の実施の形態の平均輝度レベル（表示率）に対応する表示電流を検出し、それに応じてマイコン２が乗算係数を演算するようになっている。なお、本実施の形態においては、各蛍光体の発光回数の制御も電流検出回路５からの出力をマイコン２で受け取って、例えば、プラズマディスプレイ装置の消費電力が予め定められた値よりも小さくなるように発光回数制御回路７を介して発光回数を制御するようになっている。
【００５６】
すなわち、電流検出回路５は、パネル駆動回路６で消費される電流を検出し、電圧値に変換してマイコン２にフィードバックし、マイコン２は、その電圧値に従って発光回数制御回路７から発光回数を読み出し、発光回数の設定を行うようになっている。そして、マイコン２は、設定された発光回数に応じたエネルギー変換効率の増減率による輝度比の変化を演算し、乗算係数Ｋ（Ｋｒ，Ｋｇ，Ｋｂ）を算出する。この乗算係数Ｋｒ，Ｋｇ，Ｋｂは、乗算器１１，１２，１３により映像信号Ｒ，Ｇ，Ｂに乗算され、信号振幅の調整が行われて、青味を帯びたホワイトバランスに補正することができる。
【００５７】
以上により、本実施の形態のプラズマディスプレイ装置によれば、発光回数を検出する電流検出回路５と、Ｒ，Ｇ，Ｂの原色映像信号の利得を制御してホワイトバランスを補正するマイコン２および乗算器１１〜１３などを備えることで、上記第１の実施の形態と同様に、全白表示時における消費電力を抑えながら、従来と比較して輝度向上を図ることができ、より明るい白表示を楽しむことができるとともに、青味を帯びたホワイトバランスに補正することができ、これによって青味を帯びた爽快な画面を楽しむことができる。
【００５８】
さらに、本実施の形態のプラズマディスプレイ装置によれば、上記第１の実施の形態と比べて、例えば、ＡＰＬ検出回路を持っていないプラズマディスプレイ装置に対しても幅広く適用することができ、具体的に、ＣＲＴ等に対しても本発明を適用することができる。
【００５９】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００６０】
本発明は、Ｒ，Ｇ，Ｂの原色映像信号に対応して発光回数を制御してカラー表示を行うプラズマディスプレイ装置に係わり、特に、発光回数によって変動するホワイトバランスを補正するホワイトバランス補正技術に利用可能である。
【図面の簡単な説明】
【００６１】
【図１】本発明の第１の実施の形態に係るプラズマディスプレイ装置の要部を模式的に示したブロック図である。
【図２】本発明の第１の実施の形態に係るプラズマディスプレイ装置において、ホワイトバランス補正処理の一例を示すフロー図である。
【図３】本発明の第１の実施の形態に係るプラズマディスプレイ装置において、三原色の蛍光体の各発光回数における輝度比を青色を基準として示した図である。
【図４】本発明の第１の実施の形態に係るプラズマディスプレイ装置において、ホワイトバランス補正回路における三原色の各乗算係数を説明するための図である。
【図５】本発明の第１の実施の形態に係るプラズマディスプレイ装置において、ホワイトバランス補正回路により補正された三原色の蛍光体の各発光回数における輝度比を示した図である。
【図６】本発明の第２の実施の形態に係るプラズマディスプレイ装置の要部を模式的に示したブロック図である。
【図７】本発明の前提として検討したプラズマディスプレイ装置において、赤，緑および青の三原色の各蛍光体が有する発光回数に対する輝度特性（（ａ）は発光回数と輝度の関係、（ｂ）はエネルギー変換効率の減少による単位発光輝度特性）を示した図である。
【符号の説明】
【００６２】
１１〜１３…乗算器、２…マイコン、３…ＡＰＬ検出回路、４１〜４３…ガンマ補正回路、５…電流検出回路、６…パネル駆動回路、７…発光回数制御回路。
【図１】
2008052068.tif 000003
【図２】
2008052068.tif 000004
【図３】
2008052068.tif 000005
【図４】
2008052068.tif 000006
【図５】
2008052068.tif 000007
【図６】
2008052068.tif 000008
【図７】
2008052068.tif 000009